(57)【特許請求の範囲】
【請求項１】
畑やビニールシート内に設置したマルチシート及びその下の地面に苗植付け用の穴を所定間隔であけるための複数の穴あけカッターを備えた定植用穴あけ農具であって、
定植用穴あけ機のフレームに車輪を回転自在に取付け、
この車輪の外周部の左右両側に、地面又は地面上のマルチシートに接するための、車輪の直径よりやや大きい直径の一対の接地リングを設けるとともに、
この車輪の外周部に、先端部が複数の三角形状の刃先を環状に連続して形成した環状三角刃からなる円筒状の複数の穴あけカッターを所定の間隔で取り付け、かつ、穴あけカッターの先端部の環状三角刃が前記一対の接地リングの間から外方向へ突出するように取付けたことを特徴とする定植用穴あけ機。
【請求項２】
前記穴あけカッターの基部に軸孔を設け、前記車輪の外周部に穴あけカッターの基部を軸着する複数の軸孔を設け、穴あけカッター基部の軸孔又は車輪外周部の軸孔のいずれか一方を横長穴に形成して、穴あけカッターの基部に軸孔と車輪外周部の軸孔に挿通ピンを通して、穴あけカッターを車輪にスライド自在に取付け、
かつ、穴あけカッターが車輪の中心方向に最もスライドしたときに、穴あけカッターの基部が嵌り込んで固定されるように、車輪の外周部に穴あけカッターの基部に嵌合する凹部を設けるとともに、
穴あけカッターが車輪の外方向に最もスライドしたときに、穴あけカッターは基部の軸孔に挿通された挿通ピンを軸支点として前後に揺動自在となり、かつ、その穴あけカッターの揺動角度を前後にそれぞれ４５度以内に制限するように車輪の外周部の前記凹部の幅を形成したことを特徴とする、請求項１に記載の定植用穴あけ機。
【請求項３】
前記穴あけカッターの先端部の複数の三角形状の刃先を環状に連続して形成した環状三角刃は、
前記車輪を地面又はマルチシートの上に置き前方方向へ回転移動させときに、移動方向側（前方方向側）に位置する刃先を、後方方向側に位置する刃先より突出させて形成したことを特徴とする、請求項１又は２に記載の定植用穴あけ機。
【発明の詳細な説明】
【技術分野】
【０００１】  本発明は、野菜、花卉等の定植作業時の穴あけに関するものであり、詳しくは、鉢上げされた野菜や花卉の苗を定植する際に、畑やビニールシート内に設置したマルチシートに定植用穴を効率的にあける定植用穴あけ機に関するものである。
【背景技術】
【０００２】  従来、苗の定植作業における穴あけ作業は、移植する苗の数だけ必要であり、定植用穴を人力で１つずつあけており、その作業は重労働であった。近年、畑やビニールシート内において、定植する苗の保湿、地温の保持、雑草防止等の為にマルチシートを設置し、定植する位置に穴をあけることが一般的に行われている。定植した苗の上からマルチシートを設置することは苗の位置に穴をあけることが必要となり、困難な作業であるため、あらかじめ地面にマルチシートを設置し、マルチシートと地面に同時に穴を開けて定植を行う方法がとられてきた。この穴あけ作業は、穴あけ道具を使用し、人力にて一カ所ずつ穴をあけるのであるが、ビニールハウス内の温度は高く、温度によるマルチシートの伸び等により、穴あけの作業性が悪くなる為、作業時間の制約も受けると共に作業後のマルチシート抜き片の回収も多大な時間を要し、作業時間の遅延による定植穴の乾燥が定植苗に悪影響を与えてきた。【０００３】  そこで、棒状の基体の下面側に先端が尖った断面円形の穴あけ体を複数並設したものを上方から地面に押し付けるようにして穴あけを行う「苗定植用穴あけ機」が提案されている（特開平１１−３１８１１９）。しかし、この「苗定植用穴あけ機」では、基体に取り付けられた操作柄を手で持ち、これを人力で畑の地面に押しつけて穴を空け、順次隣の位置に移って作業する必要があり、連続作業を行うことが難しく、作業時間が多く掛かってしまい、かつ重労働を強いられるものであった。  このような問題を改善するために、定植用穴あけ機のフレームに地面を接して回転する車輪を設け、車輪の外周に穴あけ棒を複数設けて穿穴装置を構成した「定植用穴あけ機」が提案されている（特開２０００−３１６３９６）。しかし、この「定植用穴あけ機」では、車輪の外周に設けた穴あけ棒によってできる穴は、野菜の種類によって自在に定植穴の大きさ調整がきかず、ある一定の野菜にしか適合できず、マルチシートに定植する苗に適した穴よりより大きな穴や小さな穴があいてしまうことがあり、作業の中断を余儀なくされることがあった。また、定植苗にも保温性が低下し、雑草が生えてしまうという問題があった。【０００４】  一般的にビニールハウスでの栽培農家は数１０棟の規模で野菜等を栽培しているので、マルチシート張りも数十シート、定植用穴数は数万個にもなり、その作業は重労働であり、前述の如く、人力による穴あけ作業は過酷な労働を要求されるため、高齢化の進む農家にとっては、定植工程における軽労働及び短時間でできる効率的作業を実現しなければならないという問題は依然解消されていない。  そこで、本願発明者は、上記の従来の問題を解消し、移殖する苗の定植に最適な大きさの定植穴を所定位置にあけ、又、マルチシートに穴をあけてできたマルチシート抜き片を回収し、穴あけ作業が効率的にでき、さらに、定植穴の大きさ、配列及び間隔を自在に調整可能とし、作業時間を短縮することができる、簡単な構造かつ取り扱いの容易な定植用穴あけ機を開発し、特許出願（特願２００９−２３０９８４）を行なった。この定植用穴あけ機を使用して穴あけ作業することにより、作業効率を一気に高めることができたが、地面の土質や凹凸などの状況��よっては、穴の開け残しが生じ穴あけ率が低くなるという問題が生じている。
【先行技術文献】
【特許文献】
【０００５】
【特許文献１】特開平１１−３１８１１９号公報
【特許文献１】特開２０００−３１６３９６号公報
【特許文献１】特願２００９−２３０９８４号
【発明の概要】
【発明が解決しようとする課題】
【０００６】  本発明は、本願発明者による特許出願（特願２００９−２３０９８４）に係る「定植用穴あけ機」をさらに改良し、地面及びマルチシートの状態に対してより確実に、移殖する苗の定植に最適な大きさの定植穴を所定位置にあけることでき、又、マルチシートに穴をあけてできたマルチシート抜き片を容易に回収でき、穴あけ作業が効率的にできる定植用穴あけ機を提供することを目的とするものである。
【課題を解決するための手段】
【０００７】  上記の目的を達成するために、本発明の請求項１に記載の定植用穴あけ機は、畑やビニールシート内に設置したマルチシート及びその下の地面に苗植付け用の穴を所定間隔であけるための複数の穴あけカッターを備えた定植用穴あけ農具であって、定植用穴あけ機のフレームに車輪を回転自在に取付け、この車輪の外周部の左右両側に、地面又は地面上のマルチシートに接するための、車輪の直径よりやや大きい直径の一対の接地リングを設けるとともに、この車輪の外周部に、先端部が複数の三角形状の刃先を環状に連続して形成した環状三角刃からなる円筒状の複数の穴あけカッターを所定の間隔で取り付け、かつ、穴あけカッターの先端部の環状三角刃が前記一対の接地リングの間から外方向へ突出するように取付けたことを特徴とする。【０００８】  本発明の定植用穴あけ機は、このように構成したことにより、畑やマルチシートの上に置いて、フレームを手で保持し車輪を回転させながら移動させると、車輪の外周部の左右両側に設けられた一対の接地リングが、車輪の自重によって、しっかりと地面方向に押さえ込まれ、マルチシートの下の地面の土質の硬軟や密度、凹凸に関わらず、マルチシートをしっかりと押さえて、車輪の外周部に取り付けた穴あけカッターの先端の三角刃がマルチシートを貫通して地面に突き刺さり、穴あけカッターの三角刃がマルチシートを突き破るときにマルチシートがずれたり裂けたりすることなく、マルチシートに丸い抜き穴と土穴をあける。畑にマルチシートを敷設しない場合も、車輪外周部の左右の接地リングが、しっかりと地面をとらえて安定に車輪を回転させる。そして、穴あけカッターは、車輪の回転に従って地面から抜け出て、複数の穴あけカッターが車輪の回転と共に順次所定間隔で苗植付け用の穴（定植用穴）を、地面にあけて行くという作用効果を奏する。【０００９】  また、本発明の請求項２に記載の定植用穴あけ機は、請求項１に記載の定植用穴あけ機において、穴あけカッターの基部に軸孔を設け、車輪の外周部に穴あけカッターの基部を軸着する複数の軸孔を設け、穴あけカッター基部の軸孔又は車輪外周部の軸孔のいずれか一方を横長穴に形成して、穴あけカッターの基部に軸孔と車輪外周部の軸孔に挿通ピンを通して、穴あけカッターを車輪にスライド自在に取付け、かつ、穴あけカッターが車輪の中心方向に最もスライドしたときに、穴あけカッターの基部が嵌り込んで固定されるように、車輪の外周部に穴あけカッターの基部に嵌合する凹部を設けるとともに、穴あけカッターが車輪の外方向に最もスライドしたときに、穴あけカッターは基部の軸孔に挿通された挿通ピンを軸支点として前後に揺動自在となり、かつ、その穴あけカッターの揺動角度を前後にそれぞれ４５度以内に制限するように車輪の外周部の前記凹部の幅を形成したことを特徴とする。【００１０】  本発明の定植用穴あけ機は、このように構成したことにより、穴あけカッターが、車輪の回転による遠心力により、車輪の外側方向及び回転方向にスライドし、また、穴あけカッターの自重によっても、重力によって地面方向にスライドすると共に、車輪の外周部に取付けられた挿通ピンを軸支点として前後にそれぞれ４５度以内に揺動可能となり、車輪の回���に合わせて、穴あけカッターの刃先がマルチシートの面と平行に近い状態になって接し、環状の刃先がマルチシートを突き破り地面に直角に押下げられて、確実に穴あけをすることができ、穴あけ後の穴あけカッターの揺動により、刃の内部に残った土は遠心力により外部に放出されるという作用効果を奏する。【００１１】  また、本発明の請求項３に記載の定植用穴あけ機は、請求項１又は２に記載の定植用穴あけ機において、穴あけカッターの先端部の複数の三角形状の刃先を環状に連続して形成した環状三角刃の刃先は、前記車輪を地面又はマルチシートの上に置き前方方向へ回転移動させときに、移動方向側（前方方向側）に位置する刃先を、後方方向側に位置する刃先より突出させて形成したことを特徴とする。
本発明の定植用穴あけ機は、このように構成したことにより、穴あけカッターは、刃先がマルチシートに当る直前の時点で、刃先とマルチシートの面がほぼ平行状態になって接し、環状の刃先全体に車輪の重量がほぼ均一に加わり、マルチシートを環状に均一の力で突き破り、きれいな丸い穴をあけることができるという作用効果を奏する。
【発明の効果】
【００１２】  請求項１の発明によれば、畑やマルチシートの上に置いて、フレームを手で保持し車輪を回転させながら移動させると、車輪の外周部の左右両側に設けられた一対の接地リングが、車輪の自重によって、しっかりと地面方向に押さえ込まれ、マルチシートの下の地面の土質の硬軟や密度、凹凸に関わらず、マルチシートをしっかりと押さえて、車輪の外周部に取り付けた穴あけカッターの先端の環状三角刃がマルチシートを貫通して地面に突き刺さり、穴あけカッターの環状三角刃がマルチシートを突き破るときにマルチシートがずれたり裂けたりすることなく、マルチシートに丸い抜き穴と土穴をあける。畑にマルチシートを敷設しない場合も、車輪外周部の左右の接地リングが、しっかりと地面をとらえて安定に車輪を回転させる。このようにして、複数の穴あけカッターが車輪の回転と共に順次所定間隔で苗植付け用の穴（定植用穴）を、地面にあけることができる。【００１３】  請求項２の発明によれば、穴あけカッターが、車輪の回転による遠心力により、車輪の外側方向及び回転方向にスライドし、また、穴あけカッターの自重によっても、重力によって地面方向にスライドすると共に、車輪の外周部に取付けられた挿通ピンを軸支点として前後にそれぞれ４５度以内に揺動可能となり、車輪の回転に合わせて、穴あけカッターの刃先がマルチシートの面と平行に近い状態になって接し、環状の刃先がマルチシートを突き破り地面に直角に押下げられて、確実に穴あけをすることができ、穴あけ後の穴あけカッターの揺動により、刃の内部に残った土は遠心力により外部に放出される。【００１４】  請求項３の発明によれば、穴あけカッターは、刃先がマルチシートに当る直前の時点で、刃先とマルチシートの面がほぼ平行状態になって接し、環状の刃先全体に車輪の重量がほぼ均一に加わり、マルチシートを環状に均一の力で突き破り、きれいな丸い穴をあけることができる。
【図面の簡単な説明】
【００１５】
【図１】定植用穴あけ機の、全体構造を示す斜視図である。
【図２】穴あけカッターの構造を示す説明図（Ａ〜Ｃ）である。
【図３】車輪への穴あけカッターの取付け状態を示す説明図（Ａ〜Ｃ）である。
【図４】定植用穴あけ機の使用状態を示す説明図である。
【図５】穴あけカッターの作動を示す説明図（Ａ〜Ｃ）である。
【発明を実施するための形態】
【００１６】  本発明の実施の形態を、図を用いて説明する。図１は、本発明の定植用穴あけ機の全体構造を示す斜視図である。定植用穴あけ機１は、フレーム１０と、車輪２０と、車輪の外周部の左右両側に取付けられた一対の接地リング２１（２１ａ，２１ｂ）と、車輪の外周に取り付けられた複数の穴あけカッター３０（３０ａ，３０ｂ，３０ｃ，３０ｄ）とから構成されている。  フレーム１０は、金属板をＬ字状に形成した車輪取付部１１と、車輪取付部１１に垂直に取り付けた金属柱１２と、金属柱１２の先端に水平に取り付けた把手１３から構成されている。把手１３の両端部にはゴム製のキャップ１４，１４が取り付けてある。車輪取付部１１には車輪２０が回転自在に取り付けられ、車輪２０の外周には４カ所等間隔に穴あけカッター３０ａ，３０ｂ，３０ｃ，３０ｄが取り付けてある。
【００１７】  図２は穴あけカッターの構造を示す説明図であり、図２Ａは穴あけカッター３０を側方から見た外形図であり、図２Ｂは図２Ａ中のａ−ａ’線から見た穴あけカッター３０の断面図であり、図２Ｃは環状三角刃３１のブレードの展開図である。穴あけカッター３０は、挿通ピン２２によって車輪２０にスライド可能かつ揺動可能に取り付けられる。（図１及び図３参照）そこで、穴あけカッター３０の先端部には環状三角刃３１のブレードが円筒状に取付けられている。また、穴あけカッター３０の基部３２の後端部には、車輪２０を挟み込むように取付けるためにＵ字状の取付部３３が形成され、かつ、その取付部３３には車輪２０にスライド可能に取り付けるための横長穴（軸孔３４）が設けられている。穴あけカッター３０の環状三角刃３１は、ステンレスのバネ鋼のブレードに連続状に複数の三角形状の刃先が形成され、ブレードの中央部の刃先が長く（図２Ｃ中、ブレードの底辺から刃先までの高さが高い）、ブレードの中央部より左右の部位の刃先は中央部の刃先の長さよりやや短く（図２Ｃ中、ブレードの底辺から刃先までの高さが低い）形成してある。ブレードの刃先をこのように形成したことにより、基部３２に環状三角刃３１のブレードを円筒状に取付けたときに、図２Ａに示すように、穴あけカッター３０の先端部が、環状三角刃３１の刃先が長い部位から短い部位へと環状に連続した状態に形成される。なお、図示しないが、ブレードは、円筒形状を保持するように環状に丸めて、その両端部を溶接止めしてあり、基部３２にネジ止めするようにネジ穴を設けてある。
また、図２Ｂに示すように、円筒状の穴あけカッター３０のほぼ中心位置に、先端が矢尻状の矢尻ピン３５が、その矢尻状の先端が環状三角刃３１の刃先より外部に突出しないように基部３３の内部に固着されている。
【００１８】  穴あけカッター３０（３０ａ，３０ｂ，３０ｃ，３０ｄ）は、図１及び図４に示すように、車輪２０の外周部の４ヶ所に取付けられている。図３は車輪２０への穴あけカッターの取付け状態を示す説明図（Ａ〜Ｃ）であり、図１及び図４における車輪２０の上部に穴あけカッター３０が位置している状態（３０ｄ）を示している。図３Ａ〜Ｃにおいて、穴あけカッター３０の基部のＵ字状取付部３３の軸孔３４が車輪２０に挿通ピン２２によりスライド可能に取付けられている。図３Ａは穴あけカッター３０が車輪２０の中心方向（図の下方）にスライドした状態を示し、図３Ｂは穴あけカッター３０が車輪２０の外側方向（図の上方）にスライドした状態を示している。挿通ピン２２は、車輪２０の外周部に穴あけカッター３０（３０ａ，３０ｂ，３０ｃ，３０ｄ）を取り付けるための軸孔が４ヶ所穿孔してあり、各穴あけカッター（３０ａ，３０ｂ，３０ｃ，３０ｄ）の基部の軸孔３４と車輪外周部の軸孔を貫通し、ネジ止めにより外れないよう取り付けてある。
本実施例では、車輪外周部の軸孔は挿通ピン２２が貫通する丸穴に、穴あけカッター基部の軸孔３４は横長穴に形成して、挿通ピン２２を貫通させて取り付けたことにより、穴あけカッター３０は車輪２０にスライド自在に取り付けられているが、穴あけカッター基部の軸孔３４を丸穴に形成し、車輪外周部の軸孔を横長穴に形成しても、穴あけカッター３０を車輪２０にスライド自在に取付けることができる。
図３Ｃは穴あけカッター３０が車輪２０の外側方向（図の上方）にスライドし且つ挿通ピン２２を軸支点として前後約４５度（図では左右方向）に揺動する状態を示している。
車輪２０の外周部には、穴あけカッター３０が取り付けられる部位に、穴あけカッターの基部３２が嵌合する嵌合凹部２３を形成し、図３Ｃに示したように、穴あけカッター３０が挿通ピン２２を軸支点として前後に揺動したときに、穴あけカッター基部のＵ字状取付部３３が車輪外周部の嵌合凹部２３に当たって、揺動角度が最大９０度（前後にそれぞれ４５度以内）に制限されるように、車輪外周部の嵌合凹部２３の幅を形成している。
穴あけカッター３０の揺動角度を最大９０度（前後にそれぞれ４５度以内）に制限したのは、本発明の定植用穴あけ機によるマルチシート及び土に対する穴あけ率を高めるために、本願発明者が種々実験し、最適化した結果である。
【００１９】  上記の実施例では、車輪２０の外周に４カ所等間隔に穴あけカッター３０ａ，３０ｂ，３０ｃ，３０ｄを取り付けた例を示したが、畑及びマルチシートにあける穴の大きさ及び間隔に多様に対応できるように、車輪の径を選定し、その外周部に取付ける穴あけカッター３０の取付け数を調整できるように、穴あけカッター３０を挿通ピン２２により取付ける取付け箇所を多く設けることも可能である。  穴あけカッター３０は、挿通ピン２２をネジ止めなどにより車輪２０に着脱可能に取付けることにより、定植する苗の大きさに応じて種々の大きさのものを用意して交換することも可能である。
【００２０】  以下、本発明の定植用穴あけ機の使用方法及び使用時の穴あけカッター３０の作動について説明する。  図４は、本発明の定植用穴あけ機の使用状態を側面から見た説明図である。本発明の定植用穴あけ機を使用するときは、作業者が畑やビニールハウス内に立って、定植用穴あけ機１の把手１３のキャップ１４，１４を両手で握り、車輪を畑の土の上（マルチシートを敷設した畑にあってはそのマルチシートの上）に置き、前方（図中の進行方向）に押し出すように歩いて行くと、車輪は反時計回りに回転し、穴あけカッター３０の三角刃が車輪２０の自重でマルチシート４０を突き破って土５０に食い込み、定植用の穴（マルチシートの抜き穴４１と土穴５１）をあける。作業者は、定植用穴あけ機１を前方へ押して行くだけで、車輪２０が回転し、それに伴って穴あけカッター３０が、マルチシート４０及び畑の土５０に一定間隔で定植用穴（マルチシートの抜き穴４１、土穴５１）をあけて行くことができる。このとき、車輪２０の外周部の左右両側に取付けられた一対の接地リング２１（２１ａ，２１ｂ）が、車輪２０の自重によって、しっかりと地面方向に押さえ込まれ、マルチシート４０の下の地面５０の土質の硬軟や密度、凹凸に関わらず、穴あけカッター３０の刃がマルチシート４０を突き破るときにマルチシートがずれたり裂けたりすることなく、穴あけカッター３０の環状の刃先形状のとおり、マルチシートに丸い抜き穴４１をあけることができる。
【００２１】  図４では、穴あけカッター３０（３０ｂ）がちょうど車輪２０の下になり、車輪２０の自重でマルチシート４０を突き破って土５０に食い込んだ状態を示し、穴あけカッター３０ｂの前にマルチシートに抜き穴４１と土穴５１をあけた穴あけカッター３０ｃは車輪２０の反時計回りの回転による遠心力で、車輪の外側方向にスライドし且つ回転方向に揺動した状態を示している。このとき、穴あけカッター３０ｃの環状の刃の内部に残った土は遠心力により外部に放出されるが、刃の内部に残ったマルチシートの抜き穴４１の抜き片４２は、矢尻ピン３５に貫通されて刃先内部に残る。  図４では、車輪２０の上部に位置する穴あけカッター３０ｄは、車輪中心方向にスライドした状態を示しているが、車輪２０が静止した状態あるいは作業者の進行速度が遅い場合はこのようになるが、作業中の進行速度が一定以上の場合は、穴あけカッター３０ｄは車輪２０の回転による遠心力で車輪の外側方向にスライドし且つ揺動する。  穴あけカッター３０ａは、車輪２０の回転による遠心力で車輪の外側方向にスライドし且つ穴あけカッター３０ａの自重により刃先が地面方向を向く。
【００２２】  図５Ａ〜Ｃは、本発明の定植用穴あけ機の穴あけカッターの作動を示す説明図であり、車輪２０と穴あけカッター３０がマルチシート４０及び地面５０に接するときの周辺拡大図である。
図５Ａは、図４における穴あけカッター３０ａが、車輪２０の前進回転に伴い、マルチシート４０及び土５０に食い込む直前の状態を示している。穴あけカッター３０の先端の環状三角刃がマルチシート４０に当たって、これを環状に突き破る直前の状態を示している。このとき、穴あけカッター３０は自重により地面方向にスライドしており、かつ刃先が地面方向を向いており、刃先がマルチシートに当る直前の時点で、刃先とマルチシートの面がほぼ平行状態になって接し、穴あけカッター３０ａに車輪２０の重量が加わって、環状の刃先がマルチシートを突き破り地面に直角に押下げられて土穴５１を掘る（図５Ｂ）。
図５Ｃは、穴あけカッター３０ａが、土穴５１を開けた後、車輪２０が回転してマルチシート４０及び地面５０から離れた状態を示している。このとき、穴あけカッター３０ａは、車輪の回転による遠心力により、車輪の外側方向にスライドするとともに、回転方向に揺動する。このときの穴あけカッター３０ａの最大揺動角度は９０度（前後にそれぞれ４５度以内）である。この揺動により、穴あけカッター３０ａの環状の刃の内部に残った土は遠心力により外部に放出されるが、刃の内部に残ったマルチシートの抜き片４２は、矢尻ピン３５に貫通されて刃先内部に残っている。そして、穴あけカッター３０ｄが、マルチシート４０及び地面５０に近接し、次の抜き穴４１及び土穴５１をあける直前となっている。
このようにして、車輪２０が回転前進することにより、穴あけカッター３０（３０ａ，３０ｂ，３０ｃ，３０ｄ）が順次、定間隔で、マルチシート及び地面に、抜き穴４１及び土穴５１を開けて行くことができる。
【００２３】  以上に述べた本発明の定植用穴あけ機の代表的な実施例では、車輪２０の直径は約３０ｃｍ、左右一対の接地リングの２１（２１ａ，２１ｂ）の接地幅はそれぞれ約１０ｍｍ、左右の接地リング間の間隔は約１２ｃｍ、穴あけカッター３０（３０ａ，３０ｂ，３０ｃ，３０ｄ）の円筒状三角刃の直径はそれぞれ約５０ｍｍ（但し、定植穴の大きさに応じて各種寸法のものを用意）、定植用穴あけ機の重量は約６ｋｇと、人が作業するに適した大きさと重量を実現している。また、この定植用穴あけ機を使用してマルチシートに穴あけ作業をすると、約８０ｍを一気に穴あけすることができ、穴あけカッターの内部に取り込まれたマルチシートの抜き片４２を取り除くことにより、さらに穴あけ作業を継続することができる。この定植用穴あけ機を使用して穴あけ作業すると、従来のマルチシートに穴あけ位置の印を付けて一つ一つ穴をあけていた作業と比べて格段に作業効率が高く、作業時間を約１０分の１に短縮することができた。また、穴のあけ残しも、車輪左右の接地リングによりマルチシートを両側から押さえて穴あけカッターが穴あけをするので、マルチシートは９０％以上の穴あけ率を達成することができた。ただし、マルチシートの下の土については、土質が固い場合や小石が混入している場合には、穴あけカッターが十分に土の中に進入することができず土穴の深さに影響を受けることがある。
【００２４】  以上に説明したように、本発明の定植用穴あけ機によれば、車輪を前方へ転がすように押すだけで、連続して簡単かつ確実に所定の間隔で定植用穴をあけることができるので、作業時間の短縮化、農作業の労働軽減に極めて有効である。  また、穴あけカッターはネジ止め等により、簡単に交換可能に取付けてあるので、種々の大きさの定植穴に適した大きさの穴あけカッターを用意し、取り替えて使用することができる。穴あけカッターの三角刃も、ネジ止めにより基部に取付けているので、刃先の破損や研ぎ直しのため簡単に交換することができる。  また、上記の実施例では、定植用穴あけ機の車輪が一輪のものを示したが、フレーム１０に車軸を取り付け、これに複数の車輪を取り付けて構成することも可能である。このようにすれば、複数条の定植穴を同時にあけることが可能となる。  また、本発明の定植用穴あけ機は、構造が簡単で軽量化も可能であり、かつ、低コストで製造可能である。
【符号の説明】
【００２５】  １・・・定植用穴あけ機
１０・・・フレーム
１１・・・車輪取付部
１２・・・金属柱
１３・・・把手
１４・・・キャップ
２０・・・車輪
２１・・・接地リング（２１ａ，２１ｂ）
２２・・・挿通ピン
２３・・・嵌合凹部
３０・・・穴あけカッター（３０ａ，３０ｂ，３０ｃ，３０ｄ）
３１・・・環状三角刃
３２・・・基部
３３・・・Ｕ字状取付部
３４・・・軸孔
３５・・・矢尻ピン
４０・・・マルチシート
４１・・・マルチシートの抜き穴
４２・・・マルチシートの抜き片
５０・・・土
５１・・・土穴
【図１】
0005311077.tif 000002
【図２】
0005311077.tif 000003
【図３】
0005311077.tif 000004
【図４】
0005311077.tif 000005
【図５】
0005311077.tif 000006